(57)【要約】【課題】  用紙に過大な熱量を与えずに、安定した用紙搬送を実現し、且つ定着不良の障害を防止する。【解決手段】  内部に加熱用のヒーターを有する加熱ローラと、前記加熱ローラと所定の圧力で接している加圧ローラと、前記加熱ローラ表面の温度を検知する温度検知手段と、前記加熱ローラ表面の温度を制御する温度制御手段と、を有し、前記加熱ローラと前記加圧ローラの間を狭圧搬送されて未定着画像を転写材に定着する定着装置において、前記加熱用のヒーター給電開始時の前記加熱ローラ表面の検知温度が、所定の温度以下の場合には規定温度に到達後にその温度を保持しつつ前記加熱ローラと前記加圧ローラが一定時間圧接回転した後、印刷待機状態にする。【選択図】図１
2006139077.tif 000002
【特許請求の範囲】
【請求項１】
内部に加熱用のヒーターを有する加熱ローラと、
前記加熱ローラと所定の圧力で接している加圧ローラと、
前記加熱ローラ表面の温度を検知する温度検知手段と、
前記加熱ローラ表面の温度を制御する温度制御手段と、を有し、前記加熱ローラと前記加圧ローラの間を狭圧搬送されて未定着画像を転写材に定着する定着装置において、
前記加熱用のヒーター給電開始時の前記加熱ローラ表面の検知温度が、所定の温度以下の場合には規定温度に到達後にその温度を保持しつつ前記加熱ローラと前記加圧ローラが一定時間圧接回転した後、印刷待機状態となることを特徴とする定着装置の温度制御方法。
【発明の詳細な説明】
【技術分野】
【０００１】
本発明は、電子写真装置の未定着画像を加熱定着する定着装置の温度制御方法に関するものである。
【背景技術】
【０００２】
定着装置の概略構成を図２に示す。図２に示すように電子写真印刷装置の定着装置は、用紙上のトナー像を加熱するための加熱ローラ１と加熱ローラ１と常時圧接しており用紙上のトナー像を加圧し用紙を搬送するための加圧ローラ３、加熱ローラ１を駆動するためのモーター４、加熱ローラ１に熱を与えるためのヒーター２、加熱ローラ１の表面温度を検知するためのサーミスタ５、ヒーターの点灯、消灯、モーター４の回転・停止を制御するためのマイコン６、マイコン６の指示によりヒーター２に給電する電源７により構成されている。
【０００３】
次に定着装置の制御方法について説明する。図３は従来の加熱ローラ表面温度と、加圧ローラ内部温度、温度制御、モーター駆動制御のタイムチャートを示したものである。図３に示す加熱ローラ１の表面温度の縦軸は、サーミスタ５の出力電圧をマイコン６により温度換算したものである。横軸は経過時間を示す。ヒーター２は、図３のタイムチャートに示すヒーターＯＮ信号が“１”のとき点灯し、“０”のとき消灯する。
【０００４】
電源７を投入すると、加熱ローラ１の表面温度が規定温度になるまでの間、マイコン６はサーミスタ５の出力電圧を読み込み、電源７へヒーターＯＮ信号を出力することにより、ヒーター２に給電する。加熱ローラ１の表面温度が印刷可能な規定温度に達すると、電子写真方式印刷装置は印刷待機状態となる。印刷待機中及び印刷実行中は、加熱ローラ１の表面温度が規定温度より低くなった場合は、ヒーター２を点灯し、加熱ローラ１の表面温度が規定温度より高くなった場合はヒーター２を消灯する。加熱ローラ１と加圧ローラ３は常時圧接しており、印刷待機中はＴ２時間停止、Ｔ３時間回転を繰り返す。上位装置から印刷起動信号が送られてくると、モーター４により加熱ローラ１と加圧ローラ３が回転を始める。
【０００５】
また、印刷開始時の加熱ローラ温度制御においては、加熱ローラの表面温度を一定期間上昇させることで、用紙に過大な熱量を与えずに用紙を搬送するため、安定した用紙走行で、定着不良の障害を防ぐことが提案されている（例えば、特許文献１参照）。
【０００６】
【特許文献１】特開２００３−３０７９６９号公報（第４頁、図１）
【発明の開示】
【発明が解決しようとする課題】
【０００７】
しかしながら、加熱ローラ表面の温度が印刷可能な規定温度に到達すれば、加熱ローラに圧接している加圧ローラの表面温度に依存せずに印刷待機状態に移行するが、印刷待機状態への移行直後に連続印刷を行うと、加圧ローラは蓄熱されていないため表面温度のアンダーシュートが大きくなり用紙に加えられるべき熱が加圧ローラに奪われ、定着特性が悪化するという問題が発生した。
【０００８】
上記問題は、加熱ローラの規定温度を上昇させることにより解決が可能であるが、加熱ローラの表面温度を上昇させた場合、用紙に過大な熱を与えるため、用紙が収縮して用紙しわが発生したり、用紙の変形によりジャム等の障害を発生してしまうという課題があった。
【課題を解決するための手段】
【０００９】
本発明は、内部に加熱用のヒーターを有する加熱ローラと、前記加熱ローラと所定の圧力で接している加圧ローラと、前記加熱ローラ表面の温度を検知する温度検知手段と、前記加熱ローラ表面の温度を制御する温度制御手段と、を有し、前記加熱ローラと前記加圧ローラの間を狭圧搬送されて未定着画像を転写材に定着する定着装置において、前記加熱用のヒーター給電開始時の前記加熱ローラ表面の検知温度が、所定の温度以下の場合には規定温度に到達後にその温度を保持しつつ前記加熱ローラと前記加圧ローラが一定時間圧接回転した後、印刷待機状態となることを特徴とする。
【発明の効果】
【００１０】
本発明によれば、用紙に過大な熱量を与えずに、安定した用紙搬送を実現でき、且つ定着不良の障害を防止することができる。
【発明を実施するための最良の形態】
【００１１】
ヒーター給電開始時の加熱ローラ表面温度が低い場合は、加熱ローラの表面温度を保ちつつ加熱ローラと加圧ローラを一定時間圧接回転させることにより、低温状態から立ち上げた場合の連続印刷においても安定した定着特性を実現した。
【００１２】
本発明に基づく定着装置の制御方法の実施例について、以下図面を用いて説明する。図１は本発明における加熱ローラ表面温度と、加圧ローラ内部温度、温度制御、モーター駆動制御のタイムチャートを示したものである。
【００１３】
図１に示す加熱ローラ１の表面温度の縦軸は、サーミスタ５の出力電圧をマイコン６により温度換算したものである。横軸は経過時間を示す。ヒーター２は、図１のタイムチャートに示すヒーターＯＮ信号が“１”のとき点灯し、“０”のとき消灯する。
【００１４】
電源を投入しヒーター２へ給電開始後、従来技術と同様に加熱ローラ１表面の温度が規定温度Ａに達するようにヒーター２が点灯する。ヒーター２へ給電開始時の加熱ローラ１の表面温度がＢ以上の場合には、従来と同様に規定温度Ａに達した後、加熱ローラ１表面の温度が規定温度Ａを保つように点灯、消灯を繰り返し、加熱ローラ１と加圧ローラ３はＴ２時間停止、Ｔ３時間回転を繰り返す。ヒーター２へ給電開始時の加熱ローラ１の表面温度がＢ未満の場合には、規定温度Ａに達した後、Ｔ１時間規定温度Ａを保ちつつ加熱ローラ１と加圧ローラ３はＴ１時間回転した後、Ｔ２時間停止、Ｔ３時間回転を繰り返す。本実施例では、Ｔ１を８５ｓｅｃ、Ｔ２を６０ｓｅｃ、Ｔ３を６ｓｅｃとした。
【産業上の利用可能性】
【００１５】
用紙しわが発生しやすい転写材、及び定着特性が良くないカラートナーを使用する電子写真印刷装置に有効である。
【図面の簡単な説明】
【００１６】
【図１】本発明による定着装置の加熱ローラ温度勾配図、加圧ローラ温度勾配図及び制御タイムチャートである。
【図２】定着装置の概略構成図である。
【図３】従来技術の定着装置の過熱ローラ温度勾配図、加圧ローラ温度勾配図及び制御タイムチャートである。
【符号の説明】
【００１７】
１は加熱ローラ、２はヒーター、３は加圧ローラ、４はモーター、５はサーミスタ、６はマイコン、７は電源である。
【図１】
2006139077.tif 000003
【図２】
2006139077.tif 000004
【図３】
2006139077.tif 000005